(57)【特許請求の範囲】
【請求項１】
基地局がダウンリンク計測パイロットを配置してダウンリンク計測パイロットの初めサブフレーム番号及び周期を含むダウンリンク計測パイロットの配置情報をＵＡＥに送信することと、
基地局が前記ダウンリンク計測パイロットの配置情報に従って前記ダウンリンク計測パイロットを前記ＵＡＥに送信することとを含む
ことを特徴とするダウンリンク計測パイロットの配置及び送信方法。
【請求項２】
前記基地局は、前記基地局のアンテナポートの配置状況及び・或いは計測ニーズに基づいて、前記ダウンリンク計測パイロットの周期を確定する
ことを特徴とする請求項１に記載のダウンリンク計測パイロットの配置及び送信方法。
【請求項３】
前記ダウンリンク計測パイロットの周期はセルの専有するものである
ことを特徴とする請求項１に記載のダウンリンク計測パイロットの配置及び送信方法。
【請求項４】
前記ダウンリンク計測パイロットの周期は配置可能或いは一定なものである
ことを特徴とする請求項３に記載のダウンリンク計測パイロットの配置及び送信方法。
【請求項５】
前記ダウンリンク計測パイロットの初めサブフレーム番号はセルの専有するものである
ことを特徴とする請求項１に記載のダウンリンク計測パイロットの配置及び送信方法。
【請求項６】
前記ダウンリンク計測パイロットの初めサブフレーム番号は配置可能或いは一定なものである
ことを特徴とする請求項５に記載のダウンリンク計測パイロットの配置及び送信方法。
【請求項７】
すべてのポートのダウンリンク計測パイロットは同一の初めサブフレーム番号に対応する
ことを特徴とする請求項１乃至６のいずれか１つに記載のダウンリンク計測パイロットの配置及び送信方法。
【請求項８】
前記基地局はダウンリンク計測パイロットの配置情報をＵＡＥに送信することは、
ダウンリンク計測パイロットの初めサブフレーム番号及び周期に対して結合して標記したか或いは個別に標記したシグナリングにより、前記ダウンリンク計測パイロットの配置情報をＵＡＥに送信することを含む
ことを特徴とする請求項１に記載のダウンリンク計測パイロットの配置及び送信方法。
【請求項９】
ダウンリンク計測パイロットの初めサブフレーム番号及び周期に対して結合して標記したか或いは個別に標記したシグナリングは隠しシグナリング及び・或いは明らかシグナリングを含む
ことを特徴とする請求項８に記載のダウンリンク計測パイロットの配置及び送信方法。
【請求項１０】
前記隠しシグナリングは固定に配置されたか或いはセルの専有パラメータとバンディングしたものである
ことを特徴とする請求項９に記載のダウンリンク計測パイロットの配置及び送信方法。
【請求項１１】
ＵＡＥが、基地局からの、ダウンリンク計測パイロットの初めサブフレーム番号及び周期を含むダウンリンク計測パイロットの配置情報を受信することと、
ＵＡＥが前記配置情報に基づいて、ダウンリンク計測パイロットを取得してチャンネル計測を行うこととを含む
ことを特徴とする受信及び計測方法。
【請求項１２】
基地局がダウンリンク計測パイロットを配置する配置モジュールと、
ダウンリンク計測パイロットの初めサブフレーム番号及び周期を含むダウンリンク計測パイロットの配置情報をＵＡＥに送信する送信モジュールと
を含む
ことを特徴とする配置及び送信装置。
【請求項１３】
前記配置モジュールは、前記基地局のアンテナポートの配置状況及び・或いは計測ニーズに基づいて、前記ダウンリンク計測パイロットの周期を確定する
ことを特徴とする請求項１２に記載の装置。
【請求項１４】
前記ダウンリンク計測パイロットの周期はセルの専有するものである
ことを特徴とする請求項１２に記載の装置。
【請求項１５】
前記ダウンリンク計測パイロットの周期は配置可能或いは一定なものである
ことを特徴とする請求項１４に記載の装置。
【請求項１６】
前記ダウンリンク計測パイロットの初めサブフレーム番号はセルの専有するものである
ことを特徴とする請求項１２に記載の装置。
【請求項１７】
前記ダウンリンク計測パイロットの初めサブフレーム番号は配置可能或いは一定なものである
ことを特徴とする請求項１６に記載の装置。
【請求項１８】
すべてのポートのダウンリンク計測パイロットは同一の初めサブフレーム番号に対応する
ことを特徴とする請求項１２乃至１７のいずれか１つに記載の装置。
【請求項１９】
前記送信モジュールは、ダウンリンク計測パイロットの初めサブフレーム番号及び周期に対して結合して標記したか或いは個別に標記したシグナリングにより、前記ダウンリンク計測パイロットの配置情報をＵＡＥに送信する
ことを含むことを特徴とする請求項１２に記載の装置。
【請求項２０】
ダウンリンク計測パイロットの初めサブフレーム番号及び周期に対して結合して標記したか或いは個別に標記したシグナリングは隠しシグナリング及び・或いは明らかシグナリングを含む
ことを特徴とする請求項１９に記載の装置。
【請求項２１】
前記隠しシグナリングは固定に配置されたか或いはセルの専有パラメータとバンディングしたものである
ことを特徴とする請求項２０に記載の装置。
【請求項２２】
基地局からの、ダウンリンク計測パイロットの初めサブフレーム番号及び周期を含むダウンリンク計測パイロットの配置情報を受信する受信モジュールと、
前記配置情報に基づいて、ダウンリンク計測パイロットを取得してチャンネル計測を行う計測モジュールとを含む
ことを特徴とする受信及び計測装置。
【発明の詳細な説明】
【技術分野】
【０００１】
本発明は通信技術分野に関し、特にダウンリンク計測パイロットの配置及び送信方法及び装置、及びダウンリンク計測パイロットの受信及び計測方法及び装置に関する。
【背景技術】
【０００２】
無線通信システムにおいては、データの伝送と同時に、チャンネルの予想及びチャンネルの計測のためにパイロット信号を伴って送信する必要がある。MIMO技術の無線通信システムにおける応用に伴って、空間選択性を利用するために、異なる空間のチャンネルをさらに判別する必要があった。これにより、直交した複数のパイロットを送信して空間チャンネルごとに判別する必要になった。技術が進めており、送受信機にはさらに多くのアンテナが利用されると、必要なパイロットもますます増えていく。LTEシステムにおいては、チャンネル予想及びチャンネル計測の両方の機能を実現するために、異なるアンテナポートのパイロットが全て全帯域に配置されており、かつサブフレームごとにパイロットを送信する。
【０００３】
しかし、LTE-Aシステムにおいては、ダウンリンクによりサポートされるアンテナポートの数が８つまで増えた。パイロットのコストが大きくなることを防止するために、SI段階ではダウンリンクパイロットが計測パイロットとデコードパイロットに分けられている。ただし、デコードパイロットはユーザの専有するもので、ストリーム構成に属する。計測パイロットはセルの専有するもので、アンテナポートの構成によるものであり、時間帯域上でばらばらになる。従来の技術においては、ダウンリンク計測パイロットの送信について提案されていない。
【発明の概要】
【発明が解決しようとする課題】
【０００４】
本発明は上記の技術欠陥を解決するためになされたもので、特に本発明により従来技術におけるダウンリンク計測パイロットの送信に関する課題を解決することを目的とする。
【課題を解決するための手段】
【０００５】
上記目的を実現するために、本発明の実施形態によれば、基地局がダウンリンク計測パイロットを配置してダウンリンク計測パイロットの初めサブフレーム番号及び・或いは周期を含むダウンリンク計測パイロットの配置情報をUEに送信することと、基地局が前記ダウンリンク計測パイロットの配置情報に従って前記ダウンリンク計測パイロットを前記UEに送信することを含むダウンリンク計測パイロットの配置及び送信方法を提供する。
【０００６】
本発明の実施形態によれば、基地局がダウンリンク計測パイロットを配置する配置モジュールと、ダウンリンク計測パイロットの初めサブフレーム番号及び・或いは周期を含むダウンリンク計測パイロットの配置情報をUEに送信する送信モジュールとを含む配置及び送信装置を提供する。
【０００７】
本発明の実施形態によれば、UEが基地局からの、ダウンリンク計測パイロットの初めサブフレーム番号及び・或いは周期を含むダウンリンク計測パイロットの配置情報を受信することと、UEが前記配置情報に基づいて、ダウンリンク計測パイロットを取得してチャンネル計測を行うことを受信及び計測方法を提供する。
【０００８】
本発明の実施形態によれば、基地局からの、ダウンリンク計測パイロットの初めサブフレーム番号及び・或いは周期を含むダウンリンク計測パイロットの配置情報を受信する受信モジュールと、前記配置情報に基づいて、ダウンリンク計測パイロットを取得してチャンネル計測を行う計測モジュールを含む受信及び計測装置を提供する。
【０００９】
本発明は、LTE-Aシステムにおけるダウンリンク計測パイロットの配置及び送信方法を提出するとともに、システムの動作に応じて、ダウンリンク計測パイロットを柔軟に配置することにより、パイロットのコストを低減し、ダウンリンク計測パイロットのR8ユーザに対する影響を低減した。
【００１０】
本発明の更なる方面及び利点は一方以下に記述され、他方以下の記述により明らかになり、或いは本発明の実現によって了解できる。
【００１１】
本発明の前記の及び・或いは付加の方面及び利点は以下に図面を結合した実施形態に対する記述により明らかになるとともに容易に理解できるようになる。
【図面の簡単な説明】
【００１２】
【図１】本発明の実施形態によりダウンリンク計測パイロットの配置及び送信方法の流れ図である。
【図２Ａ】本発明の実施形態によりダウンリンク計測パイロットの周期の配置を示す図である。
【図２Ｂ】本発明の実施形態によりダウンリンク計測パイロットの周期の配置を示す図である。
【図２Ｃ】本発明の実施形態によりダウンリンク計測パイロットの周期の配置を示す図である。
【図３】本発明の実施形態によりダウンリンク計測パイロットの初めサブフレームの配置を示す図である。
【図４】本発明の実施形態により配置及び送信装置の構成図である。
【図５】本発明の実施形態により受信及び計測方法の流れ図である。
【図６】本発明の実施形態により受信及び計測装置を示す図である。
【発明を実施するための形態】
【００１３】
以下、本発明の実施形態について詳細的に記述する。前記実施形態の実施例は図面に示され、同一或いは類似する標記が同一或いは類似する素子、或いは同一或いは類似する機能を持つ素子を示す。以下に図面を参照して記述される実施形態は例示して本発明を解釈するものだけで、本発明を制限することがない。
【００１４】
本発明は主に、LTE−Aシステムではダウンリンク計測パイロットを配置する際に、システムの動作に応じて、ダウンリンク計測パイロットを柔軟に配置することにより、パイロットのコストを低減するとともに、ダウンリンク計測パイロットのR8ユーザに対する影響を低減した。
【００１５】
図１は本発明の実施形態によりダウンリンク計測パイロットの配置及び送信方法の流れ図である。この方法は下記のステップを含む。
【００１６】
ステップS101：基地局はダウンリンク計測パイロットを配置する。そのうち、基地局のダウンリンク計測パイロットの周期は他の基地局のダウンリンク計測パイロットの周期と一致しなくてもよく、基地局そのものの状況（例えば、アンテナポートの配置状況や計測ニーズなど）により確定される。
【００１７】
例えば、異なるアンテナポートの配置状況を有する基地局に対しては、異なるダウンリンク計測パイロットの周期を配置してよい。アンテナポートの配置が大きいほど（例えば、アンテナポートの数が４以上）、小さいダウンリンク計測パイロット周期を配置することができる。アンテナポートの配置が小さいほど、大きいダウンリンク計測パイロット周期を配置することができる。
【００１８】
以上はダウンリンク計測パイロットをどのように配置するかについて大ざっぱに説明した。以下では、具体的な実施形態を参照してどのようにダウンリンク計測パイロットを配置するか紹介する。
【００１９】
第１の実施形態は、アンテナのポートの配置状況により、基地局のダウンリンク計測パイロットの周期を確定できる。
【００２０】
図２A乃至図２Cは、本発明の実施形態によりダウンリンク計測パイロット周期の配置を示す図である。例えば、図２A乃至図２Cに示すように、アンテナポートの数が1或いは２の場合、ダウンリンク計測パイロットの周期がN1、アンテナポートの数が４の場合、ダウンリンク計測パイロットの周期がN２、アンテナポートの数が８の場合、ダウンリンク計測パイロットの周期がN３、それぞれである。図２A乃至図２Cに示すように、N3≧N2≧N1であってもよいが、もちろん例示するもののみである。要は、アンテナのポートの配置状況が異なることに応じて、ダウンリンク計測パイロットの周期も異なってなる。その他のアンテナのポートの配置状況に対しても類似で、ここで省略する。
【００２１】
第２の実施形態は、セルのユーザによる計測ニーズに従ってダウンリンク計測パイロットの周期を配置することができる。通常に、セル内のユーザチャンネルの統計情報、特に移動速度に基づいて、ダウンリンク計測パイロットの周期を調整する。図３は、本発明の1つの実施形態のダウンリンク計測パイロットの周期配置を示す図である。例えば、セル内のユーザの平均移動速度が２００ｋｍ/ｈを超えた場合、ダウンリンク計測パイロットの周期NがN1、セル内のユーザの平均移動速度が２００ｋｍ/ｈ以下でかつ２０ｋｍ/ｈを超えた場合、ダウンリンク計測パイロットの周期NがN2、セル内のユーザの平均移動速度が２０ｋｍ/ｈ以下である場合、ダウンリンク計測パイロットの周期NがN3、それぞれである。図３に示すように、N3≧N2≧N1であってもよいが、もちろん例示するもののみである。要は、セル内のユーザの計測ニーズが異なると、ダウンリンク計測パイロットの周期も異なってなる。その他のセル内のユーザの計測ニーズに対しても類似で、ここで省略する。
【００２２】
前記の２つの実施形態においては、配置されるダウンリンク計測パイロットの周期はセルの専有するものである。なお、ダウンリンク計測パイロットの周期は配置される可能であり、つまりあるアンテナポートの配置モードに対して、ダウンリンク計測パイロットの周期にN個の配置可能な値が選ばれ、具体的な状況に応じてそのうち１つを選択する。または、デフォールトでもよく、つまりダウンリンク計測パイロットの周期が唯一の或いはアンテナポートの配置に一対一に対応した、１つの決められた値である。ダウンリンク計測パイロットの周期は可変で、つまり具体的な状況（例えば、アンテナポートの配置及び・或いはユーザのニーズなど）により変更する。或いは、固定であってもよい。
【００２３】
なお、全てのポートのダウンリンク計測パイロットは該当する初めサブフレーム番号に対応してもよい。
【００２４】
説明することは、第１、第２の実施形態においては、すべてのポートのダウンリンク計測パイロットが同一の初めサブフレーム番号に対応し、かつダウンリンク計測パイロットの初めサブフレーム番号がセルの専有するものであってもよい。また、ダウンリンク計測パイロットの初めサブフレームは配置可能なもので、つまり、各ポート、或いは各組のポート、或いは各セルに対して、ダウンリンク計測パイロットの初めサブフレーム番号にN個の値が選ばれる。或いはデフォールトでもよく、つまりセルID及び・或いはデュープレクスモードなどがダウンリンク計測パイロットの初めサブフレーム番号に一対一に対応する。
【００２５】
なお、上記のこれらの実施形態においては、ダウンリンク計測パイロットの周期及び始めサブフレーム番号の配置はPBCH/P-SCH/S-SCHなどのチャンネルと競争することをできるだけ避けるべきである。
【００２６】
ステップS102：基地局はダウンリンク計測パイロットの配置情報をUEに送信する。そのうち配置情報には、ダウンリンク計測パイロットの初めサブフレーム番号及び・或いは周期が含まれる。
【００２７】
この実施形態においては、ブロードキャスト或いはハイレイヤーシグナリングにより、配置情報をUEに送信することができる。本発明の１つの実施形態としては、ダウンリンク計測パイロットの初めサブフレーム番号及び・或いは周期に対して結合して標記したか或いは個別に標記したシグナリングにより、ダウンリンク計測パイロットの配置情報をUEに送信することができる。結合コードを用いてダウンリンク計測パイロットの初めサブフレーム番号及び・或いは周期を結合して標記してよく、又はシグナリングを個別に設定してダウンリンク計測パイロットの初めサブフレーム番号及び・或いは周期を指示してもよい。
【００２８】
ステップS103：基地局は、前記ダウンリンク計測パイロットの配置情報に従って、前記ダウンリンク計測パイロットをUEに送信する。UEは、前記ダウンリンク計測パイロットの配置情報に基づいて、チャンネル計測を行ってチャンネル状況情報（例えばCSI、CQI/PMI/RIなど）をバックフィードする。ただし、あるポートのチャンネル状況情報はパイロットの配置周期において一定であると認められる。
【００２９】
図４は本発明の実施形態の配置及び送信装置の構成図である。この配置及び送信装置４００は基地局側にあり、図４に示すように、ダウンリンク計測パイロットの初めサブフレーム番号及び・或いは前記基地局そのものの状況（アンテナポートの配置状況或いはセルユーザの計測ニーズなど）により確定されたダウンリンク計測パイロットの周期を含めてダウンリンク計測パイロットを配置するための配置モジュール４０２と、ダウンリンク計測パイロットの初めサブフレーム番号及び・或いは周期を含むダウンリンク計測パイロットの配置情報をUEに送信する送信モジュール４０４とを含む。
【００３０】
本発明の１つの実施形態としては、配置モジュール４０２は基地局のアンテナポートの配置状況に基づいてダウンリンク計測パイロットの周期を確定し、ただしアンテナポートの配置状況によりダウンリンク計測パイロットの周期が異なる。
【００３１】
本発明の１つの実施形態としては、配置モジュール４０２はセルユーザの計測ニーズに基づいてダウンリンク計測パイロットの周期を確定する。
【００３２】
ただし、前記実施形態においては、ダウンリンク計測パイロットの周期はセルの専有するものであってもよい。また、ダウンリンク計測パイロットの周期は、配置可能或いは一定なものであることができる。
【００３３】
本発明の別の実施形態としては、配置モジュール４０２はアンテナポートの配置状況に基づいて、ダウンリンク計測パイロットの初めサブフレーム番号を確定し、ただしすべてのポートのダウンリンク計測パイロットが同一の初めサブフレーム番号に対応してもよい。この実施形態においては、ダウンリンク計測パイロットのサブフレーム番号がセルの専有するものである。また、ダウンリンク計測パイロットのサブフレーム番号は配置可能或いは一定なものであることができる。
【００３４】
本発明の別の実施形態としては、送信モジュール４０４はダウンリンク計測パイロットの初めサブフレーム番号及び・或いは周期に対して結合して標記したか或いは個別に標記したシグナリングを用いてダウンリンク計測パイロットの配置情報をUEに送信する。
【００３５】
図５は、本発明の実施形態の受信及び計測方法の流れ図である。図６に示すように、受信及び計測方法は下記のステップを含む。
【００３６】
S502：UEは基地局からのダウンリンク計測パイロットの配置情報を受信する。ただし前記配置情報には、ダウンリンク計測パイロットの初めサブフレーム番号及び・或いは周期が含まれる。
【００３７】
S504：UEは前記配置情報に基づいて、ダウンリンク計測パイロットを取得し、チャンネル計測を行う。
【００３８】
図６は本発明の実施形態の受信及び計測装置を示す図である。図６に示すように、受信及び計測装置６００は、UE側にあり、
基地局からの、ダウンリンク計測パイロットの初めサブフレーム番号及び・或いは周期を含むダウンリンク計測パイロットの配置情報を受信する受信モジュール６０２と、
前記配置情報に基づいて、ダウンリンク計測パイロットを取得してチャンネル計測を行う計測モジュール６０４とを含む。
【００３９】
本発明の実施形態においては、セルの専有することとは、下記２つの意味を持っている：
１．セル内の全てのユーザに対する配置は同一である。
２．異なるセルの配置は同一でも異なってもよい。セルに対して完全に独立に配置を行えるが、システムの性能などの要因を考慮すると、実際の操作時にその他のセルの配置状況を考慮した上で、配置を行う。
【００４０】
本発明は、LTE-Aシステムにおけるダウンリンク計測パイロットの配置及び送信方法を提出するとともに、システムの動作に応じて、ダウンリンク計測パイロットを柔軟に配置することにより、パイロットのコストを低減し、ダウンリンク計測パイロットのR8ユーザに対する影響を低減した。
【００４１】
本発明の実施形態を示して記述したが、当業者にとって、本発明の精神及び範囲を逸脱することなくこれらの実施形態に対して様々な変更、修正、置き換え又は変形を加えることができる。本発明の範囲は添付の請求の範囲及びその同等物により限定される。
【符号の説明】
【００４２】
４００  配置及び送信装置
４０２  配置モジュール
４０４  送信モジュール
６００  受信及び計測装置はは
６０２  受信モジュール
６０４  計測モジュール
【図１】
0005385453.tif 000002
【図２Ａ】
0005385453.tif 000003
【図２Ｂ】
0005385453.tif 000004
【図２Ｃ】
0005385453.tif 000005
【図３】
0005385453.tif 000006
【図４】
0005385453.tif 000007
【図５】
0005385453.tif 000008
【図６】
0005385453.tif 000009